(57)【要約】【課題】電子機器部と光収容部との間に接続される光ケーブルを電子機器の開閉作業を実施してもスムーズに規定半径を保ちながら動作可能であり且つ、小型化が可能であること。【解決手段】光ケーブル収容部９１０と光映像端末装置収容部９２０との間に接続される光ケーブル１４０を接続するヒンジ９３０を支点にして光映像端末装置収容部９２０が９０度以上の開閉しても、光映像端末装置収容部９２０の光ケーブル長差調整部９２２と光ケーブル収納部９１０にて余長吸収をすることで、光ケーブル１４０の可動部基点であるのケーブルガイド９１５に通り、光ケーブル１４０の挟み込み防止操作することなくスムーズに可動可能な小型な光終端装置９００を実現できる。【選択図】図３
2008292744.tif 000002
【特許請求の範囲】
【請求項１】
第１の厚さを有する第１の実装部と、この第１の実装部と回転可能に接続され、かつ第２の厚さを有する第２の実装部と、前記第１の実装部と前記第２の実装部とを接続する光ファイバとからなる電子装置において、
前記第２の実装部は、前記光ファイバの一部を前記第２の厚さ方向に撓ませた差分調整部を含み、前記第１の実装部との接続角度に応じて、前記差分調整部における前記光ファイバの撓み量を変化させることを特徴とする電子装置。
【請求項２】
請求項１に記載の電子装置であって、
前記第１の厚さと前記第２の厚さとは、概ね等しいことを特徴とする電子装置。
【請求項３】
請求項１または請求項２に記載の電子装置であって、
前記差分調整部は、前記光ファイバの撓み方向維持部を有することを特徴とする電子装置。
【請求項４】
請求項１ないし請求項３のいずれか一つに記載の電子装置であって、
前記第１の実装部は、前記光ファイバを前記光ファイバの延在方向に移動可能に保持するガイド部を有することを特徴とする電子装置。
【請求項５】
請求項１ないし請求項４のいずれか一つに記載の電子装置であって、
前記光ファイバは、チューブにより保護されていることを特徴とする電子装置。
【発明の詳細な説明】
【技術分野】
【０００１】
本発明は、電子装置に係り、特に可動部と固定部との間に接続される光ケーブルを可動部の開閉に対して一定半径に保ちながら挟み込みを防止する電子装置に関する。
【背景技術】
【０００２】
従来の光ケーブル余長処理構造として、特許文献１および特許文献２に記載された構造がある。特許文献１の発明において、可動部は、固定部に対して約９０度の開閉が可能である。光ファイバーは、ホルダにより規定の半径を保ちながら余長処理を実施する。可動部側に光ケーブルを渡すためのＵ字ループ部と言われる部分により構成され、可動部について約９０度の開閉動作を可能とするためにＵ字ループ部のスペースが必要である。よって、幅方向のスペースとしては、光ケーブルの余長処理部の（２×曲げ半径）以外に、可動部の可動による光ファイバーの規定半径を確保するために、（２×曲げ半径）×２以上必要な構造である。可動範囲も０から９０度前後であり、可動部を大きく開放できる構造ではなかった。
【０００３】
特許文献２に記載された発明も同様に、可動部は固定部に対して約９０度の開閉が可能である。光ファイバーは、撓ませてあり、固定部側に固定することにより開閉動作に対して規定の半径を保つことが可能な構造である。光ファイバーの余長はＳ字状に撓ませている状態であり、固定部側の軸付近に固定するため、幅、高さ方向へのスペースが必要な構造である。
【０００４】
【特許文献１】特開平１０−２２４２９５号公報
【特許文献２】特開２００６−３８１３号公報
【発明の開示】
【発明が解決しようとする課題】
【０００５】
特許文献１の発明は、ヒンジ部を中心にして回転させる可動部による光ファイバーのねじれ等の問題を、Ｕ字ループ部（２×曲げ半径以上）で吸収しており、大きな光ケーブル余長処理エリアが必要となる。また、可動部の回転量は９０度程度であり、光ファイバーの取り付け作業の作業性が考慮されていない。
【０００６】
特許文献２の発明は、ヒンジ部を中心にして回転させる可動部による光ファイバーのねじれ等の問題を、Ｓ字状の余長処理部で吸収しており、可動部が動くことにより光ファイバーの固定が不安定である。また、特許文献１と同様に可動部の回転角度は９０度程度であり、光ファイバーの取り付け作業の作業性が考慮されていない。
【０００７】
本発明の目的は、上記従来技術の課題に鑑み、可動部と固定部との間を光ケーブルで接続されている筐体に対して、可動部を開閉角度０度の状態（閉状態）から１８０度（全開状態）状態まで可動させる動作を繰り返しても光ケーブルの曲げ半径を確保しながらスムーズな可動が可能な電子装置を提供することにある。
【課題を解決するための手段】
【０００８】
上記課題は、第１の厚さを有する第１の実装部と、この第１の実装部と回転可能に接続され、かつ第２の厚さを有する第２の実装部と、第１の実装部と第２の実装部とを接続する光ファイバとからなり、第２の実装部は、光ファイバの一部を第２の厚さ方向に撓ませた差分調整部を含み、第１の実装部との接続角度に応じて、差分調整部における光ファイバの撓み量を変化させる電子装置により、達成できる。
【発明の効果】
【０００９】
本発明によれば、電子機器部と電子機器収納ケースとのヒンジ側のスペースを光ケーブル長差調整部として使用することにより、電子機器部の開閉による光ケーブルの可動を容易に吸収する。従って、電子機器部と光ケーブル収容部との接続ケーブルである光ケーブルの規定曲げ半径を確保するために、最小スペースで容易な開閉作業で実現可能な光ファイバ通信装置を構成できる。
【発明を実施するための最良の形態】
【００１０】
以下、本発明の実施の形態について、実施例を用い図１ないし図１４を参照して説明する。なお、実質同一部位には同じ参照番号を振り、説明は繰り返さない。ここで、図１は光アクセスシステムのブロック図である。図２は光終端装置の光映像端末装置部を９０度開放した状態の斜視図である。図３は光終端装置の光映像端末装置部を１８０度開放した状態の斜視図である。図４は光終端装置の光映像端末装置部を１８０度開放した状態の分解斜視図である。図５は光終端装置の光映像端末装置部を１８０度開放した状態の正面図である。図６は図５のＡ−Ａ断面図である。図７は図５のＢ部拡大図である。図８は光終端装置の光映像端末装置部を１８０度開放した状態の正面図である。図９は図８のＡ−Ａ断面図である。図１０は図８のＢ部拡大図である。図１１は図８のＣ部拡大図である。図１２は光終端装置の光映像端末装置を９０度開放した状態の左側面図である。図１３は図１２のＡ−Ａ断面図である。図１４は光終端装置の光映像端末装置を閉じた状態の正面図である。図１５は図１４のＡ−Ａ断面図である。
【００１１】
図１において、光アクセスシステム２０００は、局に置かれた光映像局装置３００とデータ用局装置４００とＷＤＭ（波長多重分離装置）５００と、幹線光ファイバ１３０と、光スプリッタ６００と、３２本の分岐光ファイバ１１０と、加入者宅に置かれた光終端装置９００とから構成される。
【００１２】
光映像局装置３００には、ＴＡ（Transmitter Amplifier）３１０を介して、映像情報を送出するＨＥ（Head End）３６０が接続される。光終端装置９００は、ＷＤＭフィルタ（波長多重分離装置）９０１と光映像端末装置９０２と両者を接続する光ファイバ１４０から構成される。ＷＤＭフィルタ９０１には光ファイバ１１０と光ファイバ１２０とが接続される。光ファイバ１２０の他端にはデータ用端末装置７１０が接続される。データ用端末装置７１０には、ＰＣ７２０が接続され、データ用局装置４００を介して双方向のデータ通信を行う。光映像端末装置９０２には、ＳＴＢ（Set Top Box）８１０を介してＴＶ８２０が接続される。
【００１３】
光映像装置３００が送出した光映像信号は、ＷＤＭ５００で下りデータ光信号と共に幹線光ファイバに波長多重されて送信される。波長多重された光信号は、光スプリッタ６００で３２分割され、光ファイバ１２０を介して、光終端装置９００に送出する。ＷＤＭフィルタ９０１は、下りデータ光信号と光映像信号とを分離して、データ用端末装置７１０と光映像端末装置９０２に送出する。データ用端末装置７１０は、下りデータ光信号を電気信号に変換して、ＰＣ７２０に送信する。光映像端末装置９０２は、光映像信号を電気信号に変換し、ＳＴＢ８１０に送信する。ＳＴＢ８１０で選択された映像信号に基づいて、ＴＶ８２０で映像を表示し、音声を送出する。
【００１４】
ＰＣ７２０からの上りデータ信号は、データ用端末装置７１０でデータ光信号に変換され、データ用局装置４００からの指示に基づくタイミングで、ＷＤＭ９０１を介して光ファイバ１１０に送信される。光スプリッタ６００は、各光終端装置９００からの上りデータ光信号を多重して、幹線ファイバ１３０に送出する。ＷＤＭ５００は、時分割多重された上りデータ光信号をデータ用局装置４００に送出する。
【００１５】
まず、光終端装置の要部機能ブロック構成を図２ないし図４を参照して説明する。図２において、光終端装置９００は、光ケーブル収容部９１０と光映像端末装置収容部９２０とから構成される。光終端装置９００は、壁９０−１と壁９０−２とのコーナ部に、光ケーブル収容部９１０を壁９０−１に固定して設置されている。また、光映像端末装置収容部９２０は、図示しないヒンジで光ケーブル収容部９１０と接続されている。光映像端末装置収容部９２０の開放角度が９０度のとき、壁９０−２に近接して設置すること自体が、困難である。
【００１６】
実際には、光終端装置９００は、図３に示すように、光映像端末装置収容部９２０の開放角度が１８０度あるので、壁９０−２に近接した位置の壁９０−１に取り付け可能である。なお、光ケーブル収容部９１０の厚さと、光映像端末装置収容部９２０の厚さとは、概ね等しくしておく。
【００１７】
図３において、光ケーブル収容部９１０は、光ケーブル収容ケース９１１と、光ケーブル収容ケース９１１に固定する光ケーブル収容ベーストレイ９１２と、光ケーブル収容ベーストレイ９１２に固定する光ケーブル収容サブトレイ９１３とから構成されている。また、光映像端末装置収容部９２０は、電子機器収容ケース９２１と、電子機器収容ケース９２１に固定する光映像端末装置９０２とから構成される。光ケーブル収容部９１０と光映像端末装置収容部９２０とは、光ケーブル１４０により接続されている。
【００１８】
また、光ケーブル収容ケース９１１の光ケーブル収容ケースヒンジ部は、電子機器収容ケース９２１の電子機器収容ケースヒンジ部を嵌め込んで、ヒンジ９３０−１、９３０−２を形成している。この結果、光映像端末装置収容部９２０がヒンジ９３０を中心に回転し、開閉することが可能な構造となっている。このように構成することによって、光ケーブル収容部９１０に収容しておいた光ケーブル１４０を容易に光映像端末装置収容部９２０に接続できる。
【００１９】
図４において、光ケーブル収容部９１０に搭載される光ケーブル収容ベーストレイ９１２は、光ケーブル収容サブトレイ９１３と光ケーブル１４０の先端に付加されるＳＣコネクタ１４１を光ケーブル収容サブトレイ９１３のＳＣコネクタ収容部９１４に実装することにより固定される状態となっている。光ケーブル１４０が光ケーブル収容サブトレイ９１３に実装されることにより、光ケーブル収容ベーストレイ９１２を光ケーブル収容ケース９１１から着脱することが可能である。光ケーブル１４０に問題が発生した場合において、光ケーブル収容ベーストレイ９１２を交換することにより、容易に交換が可能な構造となっている。また、光ケーブル収容サブトレイ９１３に実装された光ケーブル１４０は、光ケーブルガイド９１５を基点にして、光ケーブル収容サブトレイ９１２のＳＣコネクタ収容部９１４に収納されている。光ケーブルガイド９１５からＳＣコネクタ収容部９１４までの光ケーブル１４０の長さは、光ケーブルガイド９１５からＳＣアダプタ９２３までの長さと同じ長さに設定されており、光ケーブル１４０の長さ調整が必要なく作業性に優れている構造である。
【００２０】
図５を参照して、光ケーブル収容部９１０と光映像端末収容部９２０との関係を説明する。光ケーブル１４０は、ＷＤＭフィルタ９０１からＳＣコネクタ１４１までで構成されている。また、ＷＤＭフィルタ９０１から出る余長の光ケーブル１４０は、光ケーブル収納部９１６の内部で巻かれる。可動光ケーブル１５０は、図５において破線で覆ったＳＣコネクタ１４１から光ケーブル収納部９１６の間の部分であり、光ケーブル１４０に光ケーブル保護チューブ１４２を被せることにより構成される。光映像端末装置収容部９２０を開閉することにより、可動光ケーブル１５０は、紙面に垂直方向に移動する。しかし、光ケーブル保護チューブ１４２があるため、可動光ケーブル１５０は、光ケーブル１４０単独の場合より、硬度が増加し、光ケーブル１４０のよじれを防止する。この結果、光ケーブル１４０は、傷つくことなく、スムーズな移動が可能である。
【００２１】
可動光ケーブル１５０をＳＣアダプタ９２３に接続するまでの過程を以下に説明する。先ず、図４の光ケーブル収容サブトレイ９１２のＳＣコネクタ収容部９１４に収納されているＳＣコネクタ１４１を外す。取外された可動光ケーブル１５０は、光ケーブルガイド９１５でガイドされている。可動光ケーブル１５０を光映像端末装置収容部９２０に渡るルートとして、図５の光ケーブル収容ケースのヒンジ９３０−１の上部を通すルートを選択している。
【００２２】
図６において、ヒンジ９３０のギャップ高さＡと、保護チューブ１４２の径をＢとすると、Ａ≧φＢかつＡ≒φＢの寸法関係としている。この結果、可動光ケーブル１５０は、突出することなく保護された構造となっている。
【００２３】
図７において、可動光ケーブル１５０は、光ケーブル収容ベーストレイ９１２から突出させた光ケーブルガイド９１５によりガイドされる。可動光ケーブル１５０の線径φＢと、光ケーブルガイド９１５の光ケーブル導入溝９１５ａの溝寸法Ｃ１、光ケーブル導入溝９１５ａと約４５度の角度をなす溝寸法Ｃ２との関係は、Ｃ２＜φＢ＜Ｃ１としている。通常の動作状態においては、可動光ケーブル１５０を挿入後は光ケーブル溝８１と光ケーブルガイド穴９１５ｂとの約４５度の角度が付くので、光ケーブルガイド９１５から可動光ケーブル１５０が図７の紙面に垂直上方向（図６の紙面内上方向）に抜けない構造となっている。逆に、可動光ケーブル１５０を光ケーブル溝９１５ａのＣ１と平行にすることにより、容易に着脱が可能な構造となる。
【００２４】
ケーブルガイド穴９１５ｂはφＤ（２×φＢ）の孔径であり、通常の動作状態で約４５度の角度がついても、φＢ＜φＤ／√２＝√２×φＢの関係となっている。このため、光映像端末装置収容部９２０の開閉により、可動光ケーブル１５０が移動しても、ケーブルガイド９１５部では図７の紙面内でスムーズな移動が可能である。ここで、図７の紙面内とは可動光ケーブルの延在方向である。
【００２５】
図８ないし図１１において、光映像端末装置収容部９２０を開放した状態で、ＳＣコネクタ１４１を、ＳＣアダプタ９２３に接続する前に、可動光ケーブル１５０を光ケーブル長差調整部９２２に収納する必要がある。可動光ケーブル１５０の光ケーブル長差調整部９２２に収納する作業手順を、以下説明する。
【００２６】
図９および図１０において、フック９２４−１とリブ９２５−１との間に可動光ケーブル１５０を通す。可動光ケーブル１５０の線径φＢと、フック９２４−１とリブ９２５−１の隙間Ｅ１、Ｆ１との隙間の関係は、Ｅ１＜φＢ＜Ｆ１とする。フック９２４はｚ軸方向の寸法が短く、φＢ＜Ｆ１であるため、フック９２４−１とリブ９２５−１との間に容易に可動光ケーブル１５０を通すことができ、光ケーブル長差調整部９２２に収納することができる。同様に、図９および図１１において、フック９２４−２とリブ９２５−２との隙間Ｅ２、Ｆ２の関係はＥ２＜φＢ＜Ｆ２、フック９２４−２とリブ９２５−３との隙間Ｅ２、Ｆ３の関係はＥ２＜φＢ＜Ｆ２の関係とする。この様な寸法関係とすることで、可動光ケーブル１５０は、フック９２４とリブ９２５との間からｚ軸方向に外れることはない。また、可動光ケーブル１５０は、光ケーブル長差調整部９２２において、マイナスｚ軸方向に若干撓んだ状態とすることができる。光映像端末装置収容部９２０を開放した状態で、可動光ケーブル１５０を撓ませておくことによって、光映像端末装置収容部９２０を徐々に閉じたとき、撓み量を徐々に多くすることができる。
【００２７】
図８において、光ケーブル長差調整部９２２から立ち上がった可動光ケーブル１５０はクランプ９２６−１〜９２６−３で固定され、ＳＣアダプタ９２３にＳＣコネクタ１４１を接続することにより可動光ケーブル１５０の接続作業は完了する。光映像端末装置収容部９２０を開放することで可動光ケーブル１５０の接続作業は容易に実施することが可能である。
【００２８】
光終端装置９００は、光映像端末装置収容部９２０についてヒンジ９３０を軸中心として回転する構造である。このため、光映像端末装置収容部９２０を１８０度開放した状態の、ケーブルガイド９１５からＳＣアダプタ９２３までの可動光ケーブル１５０の長さをＸ、９０度開放した状態の、ケーブルガイド８０からＳＣアダプタ９２３までの可動光ケーブル１５０の長さをＹ、閉じた状態の、ケーブルガイド９１５からＳＣアダプタ９２３までの可動光ケーブル１５０の長さをＺとすると、それらの長さ関係はＸ＞Ｙ＞Ｚとなる。光映像端末装置収容部９２０を１８０度開放した状態から閉じるまでに、可動光ケーブル１５０の長さの差（Ｘ−Ｚ）を光ケーブル長差調整部９２２と光ケーブル収容部９１６にて吸収する必要がある。つまり、図８の光映像端末装置収容部９２０が１８０度に開放された状態から、図１２および図１３の９０度まで閉じると、可動光ケーブル１５０は、光ケーブル長差調整部９２２において、もともと−ｚ軸方向に撓んでいるので、矢印Ｇの方向（−ｚ方向）へ移動することにより可動光ケーブル１５０の長さの差分（Ｘ−Ｙ）を吸収する。次に、図１２の光映像端末装置収容部９２０が９０度に開放された状態から、図１４および図１５の閉じた状態とすると、可動光ケーブル１５０は、光ケーブル長差調整部９２２において矢印Ｇの方向へ更に移動する。可動光ケーブル１５０は、フック９２４−３、９２４−４に接触する状態となり、長さの差分（Ｙ−Ｚ）を吸収する。フック９２４−３、９２４−４は、可動光ケーブル１５０が規定半径を確保するためのガイドとしての機能を果たしている。このように、光映像端末装置収容部９２０の閉じる場合において、小スペースの光ケーブル長差調整部９２２に可動光ケーブル１５０の浮き上がり機能及びガイド機能を有し容易に規定半径を確保しながら可動光ケーブル１５０の長さの差分を光ケーブル長差調整部９２２のＧ方向に吸収することが出来る。また、逆に光映像端末装置収容部９２０の開ける場合においても光ケーブル光余長処理部９２２において吸収されていた可動光ケーブル１５０の長さを使用し、Ｇ方向とは逆に動くことにより規定半径を確保することができる。また、可動光ケーブル１５０が１８０度開放した状態で、図１５の最悪の状態になっていて、光ケーブル長差調整部９２２に吸収し切れなかったとしても、可動光ケーブル１５０は、ケーブルガイド９１５でクランプされていないので、図１３のＨ方向にも可動する。したがって、規定半径を確保する動作をする。
【００２９】
以上のように、光映像端末装置収容部９２０に小スペースの光ケーブル長差調整部９２２を設けることにより安全に光映像端末装置収容部９２０と光ケーブル収容部９１０とに接続される光ケーブル１４０を配線することができ、小型可能な光終端装置９００を提供することができる。なお、上述した実施例では、光映像端末装置収容部に光ケーブル長差調整部を設けたが、光ケーブル収容部に光ケーブル長差調整部を設けても良い。
【図面の簡単な説明】
【００３０】
【図１】光アクセスシステムのブロック図である。
【図２】光終端装置の光映像端末装置部を９０度開放した状態の斜視図である。
【図３】光終端装置の光映像端末装置部を１８０度開放した状態の斜視図である。
【図４】光終端装置の光映像端末装置部を１８０度開放した状態の分解斜視図である。
【図５】光終端装置の光映像端末装置部を１８０度開放した状態の正面図である。
【図６】図５のＡ−Ａ断面図である。
【図７】図５のＢ部拡大図である。
【図８】光終端装置の光映像端末装置部を１８０度開放した状態の正面図である。
【図９】図８のＡ−Ａ断面図である。
【図１０】図８のＢ部拡大図である。
【図１１】図８のＣ部拡大図である。
【図１２】光終端装置の光映像端末装置部を９０度開放した状態の左側面図である。
【図１３】図１２のＡ−Ａ断面図である。
【図１４】光終端装置の光映像端末装置部を閉じた状態の正面図である。
【図１５】図１４のＡ−Ａ断面図である。
【符号の説明】
【００３１】
９０…壁、１１０…光ファイバ、１２０…光ファイバ、１３０…光ファイバ、１４０…光ファイバ、１４１…ＳＣコネクタ、１４２…保護チューブ、１５０…可動光ケーブル、３００…光映像局装置、３１０…増幅送信機（ＴＡ）、３５０…ヘッドエンド（ＨＥ）、４００…データ用局装置、５００…波長多重分離装置（ＷＤＭ）、６００…光スプリッタ、７１０…データ用端末装置、７２０…ＰＣ、８１０…セットトップボックス（ＳＴＢ）、８２０…テレビ（ＴＶ）、９００…光終端装置、９０１…ＷＤＭフィルタ、９０２…光映像端末装置、９１０…光ケーブル収容部、９１１…光ケーブル収容ケース、９１２…光ケーブル収容ベーストレイ、９１３…光ケーブル収容サブトレイ、９１４…ＳＣコネクタ収容部、９１５…光ケーブルガイド、９１６…光ケーブル収容部、９２０…光映像端末装置収容部、９２１…電子機器収納ケース、９２２…光ケーブル長差調整部、９２３…ＳＣアダプタ、９２４…フック、９２５…リブ、９２６…クランプ、９３０…ヒンジ、２０００…光アクセスシステム。
【図１】
2008292744.tif 000003
【図２】
2008292744.tif 000004
【図３】
2008292744.tif 000005
【図４】
2008292744.tif 000006
【図５】
2008292744.tif 000007
【図６】
2008292744.tif 000008
【図７】
2008292744.tif 000009
【図８】
2008292744.tif 000010
【図９】
2008292744.tif 000011
【図１０】
2008292744.tif 000012
【図１１】
2008292744.tif 000013
【図１２】
2008292744.tif 000014
【図１３】
2008292744.tif 000015
【図１４】
2008292744.tif 000016
【図１５】
2008292744.tif 000017